(57)【要約】【課題】多様なサイズ、形状などの被清掃面に対応して汚れを収集し捕捉できる、巨視的三次元性を有する清掃シートを、その使用による利点を印刷した包装に入れた製造品を提供する。【解決手段】包装と、第１の外向き面と第２の外向き面を持ち、少なくとも一つの外向き面が、少なくとも１ｍｍの平均ピーク間距離Ｄと０．０１〜１０の表面形状指数を持つように山（１０５Ａ）と谷（１０７Ａ）によって特定される巨視的三次元の組織を有する、水流交絡により形成された使い捨て清掃シート（２０）であって、前記包装に入れられる清掃シートと、そして、被清掃面から空中浮遊するアレルゲンを減少させるために、この清掃シートを被清掃面に接触させてそのアレルゲンを除くための指図書きからなる前記包装上に印刷された情報とからなる製造品【選択図】        図４
2004337621.tif 000002
【特許請求の範囲】
【請求項１】
包装と、第１の外向き面と第２の外向き面を持ち、少なくとも一つの外向き面が、少なくとも１ｍｍの平均ピーク間距離と０．０１〜１０の表面形状指数を持つように山と谷によって特定される巨視的三次元の組織を有する、水流交絡により形成された使い捨て清掃シートであって、前記包装に入れられる清掃シートと、そして、被清掃面から空中浮遊するアレルゲンを減少させるために、この清掃シートを被清掃面に接触させてそのアレルゲンを除くための指図書きからなる前記包装上に印刷された情報とからなる製造品。
【請求項２】
上記水流交絡により形成された使い捨て清掃シートが、清掃器具のハンドルに取り付けられることができるところの請求項１記載の製造品。
【請求項３】
上記水流交絡により形成された使い捨て清掃シートが、合成繊維の群、天然繊維の群およびそれらの繊維の混合物の群から選ばれた繊維から構成されるところの請求項１記載の製造品。
【請求項４】
上記繊維が合成繊維であるところの請求項３記載の製造品。
【請求項５】
上記合成繊維がポリエステル繊維であるところの請求項４記載の製造品。
【請求項６】
上記繊維が合成繊維と天然繊維との混合物であるところの請求項３記載の製造品。
【請求項７】
上記水流交絡による形成された外向き面が、少なくとも約０．５ｍｍの平均高低差を有するところの請求項１記載の製造品。
【請求項８】
上記平均高低差が少なくとも約１ｍｍであるところの請求項７記載の製造品。
【請求項９】
上記平均ピーク間距離が少なくとも２ｍｍであるところの請求項１記載の製造品。
【請求項１０】
上記平均ピーク間距離が、約４〜１２ｍｍであるところの請求項９記載の製造品。
【請求項１１】
上記表面形状指数が約０．１〜５であるところの請求項１記載の製造品。
【請求項１２】
上記表面形状指数が約０．２〜３であるところの請求項１１記載の製造品。
【請求項１３】
上記水流交絡により形成された使い捨て清掃シートが、清掃シートへの汚れの付着を改良するために低い含有レベルで適用される添加剤を有するところの請求項１記載の製造品。
【請求項１４】
上記添加剤が、清掃シートの重量に対して少なくとも約０．０１％の含有レベルで含まれているところの請求項１３記載の製造品。
【請求項１５】
上記添加剤が、清掃シートの重量に対して約１〜１５％の含有レベルで含まれているところの請求項１４記載の製造品。
【請求項１６】
上記添加剤が、鉱油と蝋の混合物であるところの請求項１３記載の製造品。
【請求項１７】
上記指図書きが印刷された文字からなるところの請求項１記載の製造品。
【請求項１８】
上記指図書きが印刷された絵からなるところの請求項１記載の製造品。
【請求項１９】
上記添加剤が微結晶蝋であるところの請求項１３記載の製造品。
【請求項２０】
上記清掃シートの少なくとも一つが、収縮可能なスクリム材料の水流交絡で形成され、この収縮可能なスクリム材料を有する清掃シートが加熱処理されたとき、外向き面に三次元の交絡が形成されるところの請求項１記載の製造品。
【発明の詳細な説明】
【技術分野】
【０００１】
本発明は、ダスト、糸屑、毛髪、砂、食品屑及び草などの除去及び捕捉に特に適する清掃シートとして有用な製造品に関する。
【背景技術】
【０００２】
乾燥ダストの清掃のために、不織布シートを使用することは、当該技術分野において知られている。こうした清掃シートは、接着力、絡み力又はその他の力によって繊維が結合されている繊維複合材を一般に使用している。例えば、特許文献１及び特許文献２を参照されたい。長持ちする拭き取り用清掃シートを形成するために、補強手段として、連続フィラメントまたは網目構造の形態にステーブルファイバが組み合わされてきた。例えば、特許文献３、特許文献４および特許文献５を参照されたい。また、過酷な拭き取り作業に耐えることができる製品を提供するために、先行技術の不織布シートには、１種以上の上述の力によって強く結合された繊維が使用されてきた。こうした強い結合は長持ちする材料を得る一方で、微粒子ダストを収集し保持する材料の能力に悪い影響を与えるものであった。
【０００３】
この問題を処理するための努力の中で、シズノ（Ｓｈｉｚｕｎｏ）らによる特許文献６には、絡み合い係数が小さいシートを形成するように二層が軽く水流交絡されて形成されている、高分子網目層及び少なくとも１つの不織布層から成る清掃シートが記載されている。得られたシートは、複合された繊維が軽く水流交絡されているために、強度、耐久性及び改善されたダスト収集性能をもたらすと言われている。また、繊維のより大きい範囲をダストとの接触のために利用できるので、絡み合い係数が小さい（即ち、５００ｍ以下）シートが、より優れた清掃性能をもたらすと言われている。
【０００４】
【特許文献１】米国特許第３，６２９，０４７号明細書
【特許文献２】米国特許第５，１４４，７２９号明細書
【特許文献３】米国特許第４，８０８，４６７号明細書
【特許文献４】米国特許第３，４９４，８２１号明細書
【特許文献５】米国特許第４，１４４，３７０号明細書
【特許文献６】米国特許第５，５２５，３９７号明細書
【発明の開示】
【発明が解決しようとする課題】
【０００５】
特許文献６に記載されているシートが、先行技術の不織布清掃シートに関する問題の幾つかを解決すると言われている一方で、これらのシートは、少なくともマクロ組織レベルで概ね均一な坪量であると思われる。また、マクロ組織レベルで本質的に均一な厚さである。即ち、正常及び期待坪量並びに厚さの変化及び変動は、水流交絡処理中の流体差圧の結果として、ランダムに発生しうるものである。
【０００６】
しかしながら、この構造体は、坪量に関して異なる別個の領域を有するとは見なされなかった。例えば、ミクロ組織レベルで繊維間の空間の坪量が測定されるとすれば、不織構造体における穴を測定しないかぎり、実際にはこうした領域の坪量がゼロよりも大きいとき、ゼロの見掛け坪量が生じるであろう。こうした変化及び変動は、水流交絡処理の正常且つ予期された結果である。技量を有する技術者は、特許文献６に記載されたものを含め、巨視的な感覚で本質的に均一な坪量及び厚さを有するものと、こうした変動を有する不織布を解釈してきた。均一な坪量を有するシートの結果は、多様なサイズ、形状などの汚れを収集し捕捉するために、その材料が特には適しないことである。
【０００７】
このような意味において、汚れ除去性を改良できる清掃シートを提供するニ−ズが引き続き存在している。この点に関し、出願人は、清掃シートに関し、マクロ的感覚で三次元性を増大することにより、汚れ除去性の増大が達成できることを見出した。
【０００８】
従って、本発明の目的は、先行技術の問題を克服すると共に、特に種々のタイプの汚れを除去し、捕捉することが一層可能な構造体を提供することである。詳しくは、本発明の目的は、詳細が後述される有意な三次元性を有する不織構造体の製造品を提供することにある。
【０００９】
他の目的は、特に、清掃シートを分離するためのミシン目を有するロール形態か、又は清掃シートを有用な長さに分離するための手段のいずれかにおいて清掃シートを包装し、更に、得ることができる改善されたプロセス及び／又は利点、特に、消費者にとって直感的に明白ではない利点を消費者に知らせることのできる包装の中に清掃シートを入れ、清掃のための改善されたプロセス及び消費者及び使用者のために清掃シートの好ましい利点の情報を提供することである。他の目的は、特に三次元構造を有する後述の清掃シート用の添加剤、特に基体への汚れの粘着を改善する添加剤を入れた清掃シートを提供することであり、こうした組合せは特別な性能の利点を有し、改善された利点をもたらすものである。
【課題を解決するための手段】
【００１０】
上記目的を達成するために、本発明は、製造品を、包装と、第１の外向き面と第２の外向き面を持ち、少なくとも一つの外向き面が、少なくとも１ｍｍの平均ピーク間距離と０．０１〜１０の表面形状指数を持つように山と谷によって特定される巨視的三次元の組織を有する、水流交絡により形成された使い捨て清掃シートであって、前記包装に入れられる清掃シートと、そして、被清掃面から空中浮遊するアレルゲンを減少させるために、この清掃シートを被清掃面に接触させてそのアレルゲンを除くための指図書きからなる前記包装上に印刷された情報とから構成したものである。
【００１１】
上記水流交絡により形成された使い捨て清掃シートが、清掃器具のハンドルに取り付けられることができるのが望ましく、また、合成繊維の群、天然繊維の群およびそれらの繊維の混合物の群から選ばれた繊維から構成されるのが好ましい。さらに、繊維が合成繊維であり、その合成繊維がポリエステル繊維であるのが好ましい。繊維が合成繊維と天然繊維との混合物であってもよい。
【００１２】
上記水流交絡による形成された外向き面が、少なくとも約０．５ｍｍの平均高低差を有するのが良く、その平均高低差が少なくとも約１ｍｍであるのがさらに良い。また、上記平均ピーク間距離が少なくとも２ｍｍであるのが良く、平均ピーク間距離が約４〜１２ｍｍであればさらに良い。さらに、上記表面形状指数が約０．１〜５であるのが良く、表面形状指数が約０．２〜３であればさらに良い。
【００１３】
上記水流交絡による形成された使い捨て清掃シートが、清掃シートへの汚れの付着を改良するために低い含有レベルで適用される添加剤を有するのが良く、その添加剤が、清掃シートの重量に対して少なくとも約０．０１％の含有レベルで含まれているのが良い。さらに、上記添加剤が、清掃シートの重量に対して約１〜１５％の含有レベルで含まれることができ、添加剤は、鉱油と蝋の混合物であることが望ましく、微結晶蝋であることが好ましい。
【００１４】
上記指図書きが印刷された文字からなるのが好ましく、印刷された絵からなっていても良い。また、上記清掃シートの少なくとも一つが、収縮可能なスクリム材料の水流交絡で形成され、この収縮可能なスクリム材料を有する清掃シートが加熱処理されたとき、外向き面に三次元の交絡が形成されるのが好適である。
【００１５】
本明細書中で用いられる「巨視的三次元」という用語は、三次元清掃シートを説明するために用いるときには、観察者の目とシートの平面との間の垂直距離が約１２インチであるとき、裸眼により三次元模様が容易に見えることを意味する。換言すると、本発明の三次元構造は非平面の清掃シートであり、そのシートの一表面又は両表面が多重面をなし、これらの多重面の面間距離は、構造体が約１２インチ離れて観察されるときに裸眼により観察できる。対照的に、「平面」という用語は、観察者の目とシートの面との間の垂直距離が約１２インチ以上であるとき、裸眼では容易には見えない、１方側又は両側で微細規模の多重面を有する清掃シートについて言う。換言すると、巨視的には、シートの一方又は両方の表面が多重面で存在しても、観察者には三次元的であると見えない。
【００１６】
なお、この巨視的三次元性は、本明細書中では、シートの任意表面の隣接する山と谷との間の平均距離として本明細書中で定義される「平均高低差」及び任意表面の隣接山間の平均距離である「平均ピーク間距離」の用語で記載されたり、清掃シートの外面の「表面形状指数」の用語で記載される。この表面形状指数は、表面の平均高低差をその表面の平均ピーク間距離で除して得られる比である。
【００１７】
本明細書中で用いられる「水流交絡」という用語は、一般に、疎水性繊維材料（例えば、ポリエステル）の層を穴付きパターン形成部材上に支持し、十分大きい水圧差に曝して個々の繊維を機械的に絡ませて不織構造体を形成する方法を意味する。なお、穴付きパターン形成部材には、例えば、織スクリーン、多孔性金属板などが使用されてもよい。
【００１８】
本明細書中で用いられるすべての百分率、比率及び割合は、異なるように記載しない限り重量による。
【発明の効果】
【００１９】
本発明の清掃シートは、消費者パネル試験において改善された掃除性能が実証されるであろう。接触及び保持を含む種々の手段によって、ダスト、糸屑及びその他の空気浮遊物質を被清掃表面から除去し、或いは減少させる清掃シートの性能の結果として、清掃シートは、同様の清掃目的のための他の製品及び実施技術に比べて、被清掃面上及び大気中におけるこうした物質のレベルのより大幅な低下を生じさせる。この性能は、本明細書中に記載された添加剤を含有する清掃シートにおいて特に明らかである。前述した特許文献６のシートでさえ、本明細書中の好ましい構造体に比し、程度が低いとはいえ、この利点をもたらすことが可能であり、従って、特に、ダスト除去のための清掃シートは通常使用されてこなかった壁、天井、椅子の上張り材料、掛け布、敷物、衣類などのような面を被清掃面として、上記特許文献６のものを含むシートの使用を奨励するために、包装上にあるいは包装に関連して、このような情報を提供することが重要である。汚れ、特に微粒子、及び特にアレルギー反応を引き起こす微粒子の粘着を改善するために有効な含量でシートの少なくとも１つの、好ましくは連続したエリア上に均一に付与された低レベルの添加剤を使用すると、汚れの粘着に対する驚くべき制御レベルをもたらす。少なくとも添加剤がシート上に存在するエリアにおいて、低レベル含量であることは、こうした用途のために重要である。油が液として、又はスプレーとして利用される従来からの除塵作業と異なり、本清掃シートを用いるときは、特に従来用いられなかった表面に目に見える染みができる危険をはるかに少なくするからである。好ましい構造体は、又、より大きな粒子をより微小なサイズに破壊するものでなく、より大きな粒子を捕捉することによって利点をもたらす。
【００２０】
アレルゲンが一般にダストの形態をとっているために、呼吸により吸い込まれる小さい粒子の量を低減させることは特に望ましく、アレルギー症の消費者は、本発明の清掃シート、特に、好ましい不織構造体を使用することから恩恵を受ける。この利点のために、先行技術の手順のように汚れが目で明らかに見えるようになった時だけでなく、規則的なペースで被清掃面に清掃シートを使用することが重要である。
【発明を実施するための最良の形態】
【００２１】
本明細書中で用いられる「Ｚ−寸法」という用語は、本発明の清掃シートの長さ及び幅に直交する寸法又はその成分を意味する。Ｚ−寸法は、通常は清掃シートの厚さに対応し、「Ｘ−Ｙ寸法」という用語は、清掃シートの厚さに直交する面又はその成分に関係する。Ｘ寸法及びＹ寸法は、通常はシートの長さ及び幅又はそのシート成分の長さ及び幅にそれぞれ対応する。
【００２２】
また、「層」という用語は、その主寸法がＸ−Ｙである、即ち、長さ及び幅に沿っている、清掃シートの部材即ち構成要素をいう。層という用語は材料の単一層即ち単一シートに必ずしも限定されないことが理解されるべきである。従って、層は必要な種類の材料の幾つかのシート又はウェブの積層体又は組合せからなることができる。本発明の目的において、清掃シートの「上」層は、被清掃面から相対的に遠く離れている（即ち、清掃器具においては、使用中に器具ハンドルに相対的に近い）層である。「下」層という用語は逆に、被清掃面に相対的に近い（即ち、清掃器具においては、使用中に器具ハンドルから相対的に遠くに離れている）清掃シートの層を意味する。
【００２３】
本発明の清掃シートは、織りプロセス又は不織プロセスのいずれかを用いて、或いは、形状、特にベルトの形状に製作される溶融材料を用いる成形操作によって、及び／又はフィルム上に行われる機械的操作／修正を含む成形操作によって、製造することができる。その不織構造体は、必須の三次元要件が知られれば、たくさんの方法によって製造される。しかしながら、好ましい不織構造体は、特に当該技術分野で公知の水流交絡によって形成される不織布であるが、これは極めて好ましい開放構造をもたらすからである。従って、好ましい清掃シートは、本明細書中で記載された特性を有する不織構造体である。
【００２４】
本発明の好ましい不織布清掃シートを形成するために特に適する材料には、天然セルロース、及び、例えば、ポリオレフィン（例えば、ポリエチレン及びポリプロピレン）、ポリエステル、ポリアミド、合成セルロース（例えば、レーヨン（登録商標））などの合成繊維、及びそれらの配合物を含んでいる。木綿又はそれらの混合物などの天然繊維及び種々のセルロース源から派生されるものも有用である。本発明の水流交絡により繊維シートを製造するための好ましい出発材料は合成材料であり、それは、梳綿、スパンボンド、メルトブロー、エアレイ又はその他の構造体の形態をとることができる。ポリエステル、特に梳綿ポリエステル繊維は特に好ましい。繊維の疎水性度又は親水性度は、除去しようとする汚れのタイプ、添加剤の存在、付与される添加剤のタイプ、生分解性、入手可能性、及びこうした配慮の組合せのいずれかの観点で、清掃シートの望まれる目的に応じて最適化される。一般に、生分解性の良い材料は親水性であるが、より有効な材料は疎水性である傾向がある。
【００２５】
清掃シートは、単一繊維層から形成されてもよいが、好ましくは、少なくとも２つの分離層からなる複合材である。好ましくは、清掃シートは、水流交絡プロセスを介して製造される不織布である。この点で、繊維の個別層の水流交絡前に、交絡による層の結合前に層の各々を若干絡み合わせ、その後結合させることが望ましい。
【００２６】
本発明の特に好ましい実施形態において、最終シートの一体性を高めるために、例えば、熱手段又は接着剤などの化学的手段を経る積層化を通して、又は水流交絡を介して、繊維材料と合わせて配列される高分子網（本明細書中で「スクリム」または「スクリム材料」とも呼ぶ。）を入れることは好ましい。本明細書中で有用なスクリム材料は、米国特許第４，６３６，４１９号に詳細に記載されており、この特許は引用により本明細書中に組み入れられる。該スクリムは、押出しダイで直接成形してもよいし、或いは押出フィルムからフィブリル化、又はエンボス、それに引き続く延伸及びスプリットによって得ることができる。
【００２７】
該スクリムは、ポリエチレン又はポリプロピレン、それらのコポリマーなどのポリオレフィン、ポリブチレンテレフタレート、ポリエチレンテレフタレート、ナイロン６及びナイロン６６などから得ることができる。スクリム材料は、種々の商業的供給元から入手できる。本発明において有用な好ましいスクリム材料は、コンウェド・プラスチックス（Conwed Plastics）（ミネソタ州ミネアポリス）から入手できるポリプロピレンスクリムである。
【００２８】
本発明の他の側面において、出願人は、清掃シートにスクリム材料を組み込んで加熱することにより、清掃シートに巨視的三次元特性を与えられることを見出した。この巨視的三次元特性は、シートの坪量が本質的に一様であっても、清掃シートの清掃性能を大きく増大させることが分かっている。特に、スクリムと繊維の複合体が加熱され、しかる後に冷却されると、巨視的三次元特性が得られる。この処理は、スクリムの（Ｘ−Ｙ寸法の）収縮をもたらし、このスクリムに繊維が取り付いている結果、シートに大きな三次元特性をもたらす。付加される三次元特性の程度は、スクリムと繊維の複合体に作用する加熱のレベルによって調節される。スクリムの組み入れは、不織構造体の繊維相が不織布であり、特に構造体が水流交絡されていることによって特に効果的がある。
【００２９】
本発明は巨視的三次元特性の清掃シートからなり、これらの清掃シートは、例えば、紙タオルに比して相対的に開放された不織構造体であるのが好ましい。一つの好ましい実施において、巨視的三次元特性の清掃シートは、スクリム材料を含んでいる。かかる好適な実施において、清掃シートは、第１の外向き面と第２の外向き面とを有し、ここにおいて、少なくとも一つの外向き面の平均ピーク間距離は少なくとも約１ｍｍであり、又その表面の表面形状指数は、約０．０１〜５である。清掃シートの外形形状に関係なく、少なくとも一つの外向き面の平均ピーク間距離は、好ましくは少なくとも約１ｍｍ、更に、好ましくは少なくとも約２ｍｍ、なお、更に好ましくは少なくとも約３ｍｍである。１つの実施において、平均ピーク間距離は、約１ｍｍ〜２０ｍｍ、特に、約３ｍｍ〜１６ｍｍ、更に、特に約４ｍｍ〜１２ｍｍである。
【００３０】
少なくとも一つの外向き面の表面形状指数は約０．０１〜１０、好ましくは約０．１〜５、更に、好ましくは約０．２〜３、なお、更に好ましくは約０．３〜２である。クリティカルではないが、少なくとも一つの外向き面は、好ましくは、少なくとも約０．５ｍｍ、更に、好ましくは少なくとも約１ｍｍ、なお、更に好ましくは少なくとも約１．５ｍｍの平均高低差を有する。少なくとも一つの外向き面の平均高低差は、典型的には約０．５ｍｍ〜約６ｍｍ、更に、典型的には約１ｍｍ〜３ｍｍである。
【００３１】
再び、本発明の巨視的三次元特性の清掃シートに関し、これらの不織構造体は、特にＣＤ方向に、増進された伸びを有し、その結果、独立した製造品として使用されても、清掃器具として一緒に使用されても順応性を向上する。これに関し、巨視的に三次元のシートは、好ましくは少なくとも約３％、更に好ましくは少なくとも約６％、更に好ましくは少なくとも約１０％、なお更に好ましくは少なくとも約１５％、そしてなお更に好ましくは少なくとも約２０％の５００ｇにおけるＣＤ伸び値を有する。
【００３２】
本発明の清掃シートの何れの清掃性能も、清掃シートへの汚れの粘着を高める界面活性剤又は滑剤を含むあらゆる多様な添加剤を用いて、清掃シートの繊維を処理、特に表面処理をすることによって更に高めることができる。こうした添加剤が使用されるときは、汚れを粘着させるシートの能力を高めるのに十分なレベルで清掃シートに添加される。こうした添加剤は、重量％で、好ましくは少なくとも約０．０１％、更に、好ましくは少なくとも約０．１％、更に、好ましくは少なくとも約０．５％、更に、好ましくは少なくとも約１％、なお、更に好ましくは少なくとも約３％、なお、更に、好ましくは少なくとも約４％の含量レベルで清掃シートに使用される。典型的には、含量レベルは、約０．１〜２５％、更に、好ましくは約０．５〜２０％、更に、好ましくは約１〜１５％、なお、更に好ましくは約３〜１０％、なお、更に好ましくは約４〜８％、最も好ましくは約４〜６重量％である。
【００３３】
好ましい添加剤は、蝋又は油（例えば、鉱油、石油ゼリーなど）と蝋の混合物である。適当な蝋は、種々の種類の炭化水素と特定の脂肪酸（例えば、飽和トリグリセリド）のエステル及び脂肪族アルコールを含んでいる。それらは、天然源（例えば、動物、植物又は鉱物）から誘導でき、或いは合成することができる。これらの種々の蝋の混合物も用いることができる。本発明において用いることができる幾つかの代表的な動物蝋及び植物蝋には、密蝋、カルナウバ蝋、鯨蝋、ラノリン、セラック蝋及びキャンデリアなどが含まれる。本発明において用いることができる鉱物源からの代表的な蝋には、パラフィン蝋、石油蝋及び微結晶蝋などの石油ベース蝋、白色セレシン蝋、黄色セレシン蝋及び白色オゾケライト蝋などの化石蝋又は土蝋が含まれる。本発明において用いることができる代表的な合成蝋は、ポリエチレン蝋などのエチレンポリマー、「ハロワックス」などの塩素化ナフタレン及びフィッシャー（Fischer−Tropsh Synthesis）が製造している炭化水素タイプの蝋などを含んでいる。鉱物油と蝋との混合物を利用するとき、成分は、好ましくは約１：９９〜約７：３、更に好ましくは約１：９９〜約１：１、なお、更に好ましくは約１：９９〜約３：７の油：蝋重量比で混合される。特に、好ましい実施において、油：蝋重量比は約１：１であり、添加剤は、約５重量％の含浸レベルで利用される。好ましい混合物は、鉱油とパラフィン蝋との１：１混合物である。
【００３４】
特に、改善された清掃性能は、巨視的三次元特性および添加剤を単一シート中に備えるときに達成される。前述したように、添加剤が有効なレベルで、且つ好ましくは清掃シートの少なくとも１つの独立した連続エリアに対して実質的に均一に使用されるとき、これらの低含量レベルは特に望ましい。特に、清掃シートへの汚れの粘着性を改善する添加剤の好ましいより低含量レベルでの使用は、驚くべき良好な清掃、空気に浮遊するダストの抑制、好ましい消費者への印象、特に触感印象を与え、さらに、添加剤は、芳香剤、有害生物防除成分、殺菌剤を含む抗菌剤、及びその他の有益な成分の宿主、特に添加剤に可溶又は分散可能であるものの配合及び付与する手段を提供することができる。これらの利点は、例示のみのために示した。添加剤の低含量レベルの添加は、添加剤が基体、包装及び／又は被処理表面に悪い影響を及ぼしうる場合、特に望ましい。
【００３５】
これらの添加剤の塗布手段は、好ましくは、不織構造体の内部にあるシート上に添加剤の少なくとも実質的な量を塗布する。処理しようとする被清掃面及び／又は包装に接触する添加剤の量が制限され、制限されなければ他の表面の機能を損なうか、又は機能を妨害する材料が限定的な悪影響のみを引き起こしうる場合に、全く悪影響を引き起こしえないことは三次元構造の特別な利点である。構造体内部に添加剤が存在することは、構造体内部に粘着した汚れが後の拭き取り処置によって脱落されることがない点で、極めて有益である。
【００３６】
図１は、本発明による多層の清掃シート２０を示している。清掃シート２０は側縁２２と端縁２４とを有する。側縁２２は、清掃シート２０の長さに概して平行に延びており、端縁２４はシートの幅に概して平行に延びている。オプションとして、シート２０は、シート２０の外縁まわりに延びる端シール２６を有することが可能である。こうした端シール２６は、加熱によって、接着剤の使用によって、又は加熱と接着剤の併用によって形成することができる。
【００３７】
清掃シート２０は、第１層１００と第２層２００とを備える。好ましくは、掃除シートは第３層３００も有する。第２層２００は、第１層１００と第３層３００との間に配置することができる。図１において、第１層１００の一部が切り取られて示され、下にある第２層２００と第３層３００の部分を見せている。
【００３８】
第１層１００は、当該技術分野で知られているような織材料、不織材料、紙ウェブ、発泡体及び布団綿などから形成することができる。特に好ましい材料は、繊維又はフィラメントを「空気式堆積」法又は特定の「湿式堆積」法のようにランダムに、或いは特定の「湿式堆積」法及び「梳綿」法のように一定の配向度で配分させた不織ウェブである。第１層１００の繊維又はフィラメントは、天然繊維又は天然由来繊維（例えば、木パルプ繊維、木綿リンター、レーヨン及びバガス繊維）又は合成繊維（例えば、ポリオレフィン、ポリアミド又はポリエステル）とすることができる。第３層３００は第１層１００と実質的に同じにでき、或いは異なった材料及び／又は構造のものに変えることもできる。
【００３９】
１つの実施において、第１層１００及び第３層３００は、それぞれ繊維の長さ９０００メートル当たり約４．０グラム未満、好ましくは約３．０グラム未満、更に、好ましくは約２．０グラム未満のデニールを有する合成繊維の水流交絡ウェブを含むことが可能である。好適な第１層１００（好適な第３層３００も同様）は、繊維長さ９０００メートル当たり約１．５グラム未満のデニールを有するポリエステル繊維の水流交絡ウェブであり、該ウェブは平方メートル当たり約３０グラムの坪量を有する。適当なウェブは、ノースカロライナ州ベンソンのピージーアイ・ノンウォーブン（PGI Nonwovens）から商品名ＰＧＩ９９３６として市販されている。
【００４０】
第２層２００は、第１層１００に（及び存在する場合は第３層３００に）不連続状態で結合され、第２層の収縮によって第１層にギャザーを形成させる。収縮機構には、第２層の熱収縮及び弾性特性が挙げられるが、それらに限定されない。上述したように、こうした１つの実施において、第２層２００は、隣接フィラメントにより形成される開口を有するフィラメントの網様の配列を含む。或いは、第２層は、必要な収縮機構を提供するために、フィルムを貫通する開口をオプションとして有する高分子フィルムの形態をとり得る。こうしたフィルムは、表面の三次元性をもたらすギャザー形成機能を提供するために十分な弾性を有する必要がある。フィルムは、開口の代わりに又は開口に加えて、表面凹みを形成するためにエンボスすることができる。もう一つの変形において、収縮作用は、加熱及び再冷却すると収縮する繊維を入れることにより発生させることができる。このアプローチにおいて、繊維の幾つかは収縮しないが、それらは収縮性繊維に機械的に結合されるので、こうした繊維が十分なレベルで含まれている限り、清掃シート全体は、収縮性繊維が収縮すると「ひだがつく」ことになる。
【００４１】
図示した実施において、第２層は、第１の複数のフィラメント２２０と第２の複数のフィラメント２４０とからなるフィラメントの網様配列を含む。第１のフィラメント２２０は互いに概して平行に延び、第２のフィラメント２４０も互いに概して平行に延びるが、第１のフィラメント２２０に対して概して直角である。第１のフィラメント２２０および第２のフィラメント２４０は、それらの交叉部分２６０間に延びている。交叉する隣接フィラメント２２０と２４０は、第２層２００中に開口２５０を形成する。フィラメント交叉部分２６０及び開口２５０は、規則的に反復する概して格子状のパターンで配列される。
【００４２】
第２層２００は、高分子網（本明細書中で「スクリム材料」と呼ぶ。）からなることが可能である。適当なスクリム材料は、米国特許第４，６３６，４１９号に記載されており、この特許は引用により本明細書中に組み入れられる。該スクリム材料は、ポリエチレン又はポリプロピレン、それらのコポリマーなどのポリオレフィン、ポリブチレンテレフタレート、ポリエチレンテレフタレート、ナイロン６、ナイロン６６など、及びそれらの混合物から得ることができる。
【００４３】
スクリム材料は、好ましくは、熱手段又は接着剤などの化学的手段による積層化を通して、層１００及び層３００に結合される。好ましくは、スクリム材料のフィラメントは、加熱すると層１００及び３００に対して収縮し、この第２層２００の収縮が、層１００及び３００にギャザーを形成させ、層１００及び３００の外面に巨視的三次元組織を与える。これについては詳細に後述する。
【００４４】
第２層２００として使用できる特に適するスクリム材料は、ミネソタ州ミネアポリスのコンウェド・プラスチックス（Conwed Plastics）から市販されている、ポリプロピレン／ＥＶＡ樹脂と、両面接着剤と加熱による収縮前にインチ当たり３フィラメント×２フィラメントのフィラメントカウントとからなるＴＨＥＲＭＡＮＥＴ（登録商標）ブランドの熱活性化強化網である。加熱後に、第２層２００は、インチ当たり約３．５〜４．５フィラメントの間×インチ当たり約２．５〜３．５フィラメントの間のフィラメントカウントを有することが可能である。
【００４５】
「両面接着剤」とは、ＥＶＡ接着剤（エチル−酢酸ビニル接着剤）がフィラメントの両側に存在することを意味する。ＥＶＡの活性化温度は、大凡約８５℃（約１８５°Ｆ）である。層１００及び層３００のポリエステル繊維へ層２００を積層する間、ＥＶＡ接着剤は、層２００のフィラメント層と層１００及び層３００の繊維との間の結合を形成するために活性化される。理論によるわけではないが、比較的短い時間（例えば、約３０秒未満）にわたり比較的低い圧力（例えば、５０psi未満、更に好ましくは２５psi未満）で層２００のフィラメントをプレスしても、層１００及び層３００の繊維に連続的には結合しないことが信じられている。加熱すると生ずるポリプロピレンフィラメントの収縮と合わせて、この連続でない結合は、層１００及び層３００の外面の組織の改善をもたらす。
【００４６】
図１において、フィラメント２２０は、清掃シート２０の側縁２２及び長さに概して平行に延びる。同様に、フィラメント２４０は、清掃シート２０の端縁２４及び幅に概して平行に延びる。それに代えて、フィラメント２２０は、清掃シート２０の長さ及び側縁２２に対して約２０度〜約７０度の間、更に好ましくは約３０度〜約６０度の間の角度で傾斜させることができる。フィラメント２４０は、シート２０の幅及び端縁２４に対して約２０〜約７０度の間、更に、好ましくは約３０度〜約６０度の間の角度で傾斜させることができる。
【００４７】
図２は、フィラメント２２０が側縁２２に対して約４５度（図２において角度Ａ）の角度で傾斜し、フィラメント２４０が端縁２４に対して約４５度（図２において角度Ｂ）の角度で傾斜している本発明の実施を示している。こうした配列は、シート２０の長さ及び幅に対するフィラメント２２０、２４０の角度付き配向が、端２２、２４に平行に層２００の網構造が変形することを可能にするという利点をもたらす。こうした変形は、シートの長さ及び幅に平行な弾性様挙動をシートに与える。
【００４８】
なお、「弾性様挙動」とは、問題の要素が、ある方向に引張を受けて伸ばされ、前記方向の引張りの力を受けない長さの少なくとも１２０％である伸び寸法を持つことができると共に、引張りが解除されたとき、その要素が力を受けない長さに対し１０％以内の伸びに回復することを意味する。
【００４９】
本発明の１実施の重要な態様は、第１層１００が第２層２００に非連続的に結合されていることである。特に、第１層１００は、フィラメント交叉部分２６０で第２層２００に非連続的に結合できる一方で、フィラメント交叉部分２６０の中間にあるフィラメント２２０の部分、フィラメント２４０の部分、又はフィラメント２２０、２４０の両方の部分は、第１層１００に結合されないままである。その結果として、第１層１００の外面の表面組織は、フィラメントの網様配列における開口の配置によって制限されず、むしろ、開口２５０の規則的な反復配置から切り離される。同様に、第３層３００は、第２層に非連続的に結合されて、第１層１００の外面に類似の表面組織を形成する。
【００５０】
第１層１００の表面組織は、分かりやすくするために、図１及び２から除外されている。その表面組織を図３〜図８に示す。図３は、図５の写真において示されている第１層１００の表面組織を示す図式図である。図４は、第１層１００及び第３層３００の表面組織を示す断面図である。図５は、第１層１００のマクロ組織的に三次元の表面組織を示す顕微鏡写真である。図６は、拡大された第１層１００の三次元表面を示す顕微鏡写真である。図７は、第１層１００の三次元表面の透視図を示す走査型電子顕微鏡写真である。図８は、シートの断面の走査型電子顕微鏡写真である。
【００５１】
図３〜図８を参照するに、第１層１００の部分は、第１層１００に対する第２層２００の収縮によってギャザーを形成されている。このギャザーは、図３〜図８に示したような巨視的三次元表面を第１層１００に形成させる。同様に、第３層３００は、第２層２００の収縮によってギャザーを形成されて、巨視的三次元表面を第３層３００に形成させることができる。
【００５２】
第１層１００の三次元表面は、相対的に高い山１０５及び相対的に低い谷１０７を持っている。第３層は山３０５及び谷３０７を持っている。図４において、層１００の山を参照番号１０５Ａ、１０５Ｂで示し、層１００の谷を参照番号１０７Ａ、１０７Ｂで示している。同様に、層３００の山を３０５Ａ、３０５Ｂで示し、谷を３０７Ａ、３０７Ｂで示している。山１０５は、第１層１００の外面上に長い隆起部１２０を形成し、山３０５は、第３層３００の外面上に長い隆起部３２０を形成する。
【００５３】
第１層１００の外面の巨視的三次元特性は、山と隣接谷の「平均高低差」の項で、及び隣接山間の「平均ピーク間距離」の項で表すことができる。山１０５Ａ／谷１０７Ａの組合せに対する高低差は、図４における距離Ｈである。山１０５Ａ、１０５Ｂの隣接組合せ間のピーク間距離は、図４において距離Ｄとして示されている。清掃シートに関する「平均高低差」及び「平均ピーク間距離」は、試験方法の部分において後述するように測定される。外面の「表面形状指数」は、表面の平均高低差を表面の平均ピーク間距離で除して得られる比である。
【００５４】
巨視的三次元特性をもたらすものとして十分に有意ではない山及び谷の相対的に小さい領域が存在することが、当業者には明らかになるであろう。例えば、三次元特性をもたらす弾性材料によって最終的には収縮される要素の中に、そのような領域が存在する。再言するに、そのような変動及び変化は、製造プロセスの正常な且つ予期される結果であって、表面形状指数を測定するときには考慮されない。
【００５５】
理論によって限定されること無く、表面形状指数は、表面の谷に物質を受け取り、捕捉する際のマクロ的三次元表面の有効性の指標である。任意の平均ピーク間距離に対する平均高低差の相対的に高い値は、物質を捕捉し、保持することができる深くて狭い谷を示す。従って、表面形状指数の相対的に高い値は、拭き取り中の物質の効果的な捕捉を示すと考えられる。
【００５６】
本発明の清掃シートは、第２層２００のフィラメント２２０の部分、フィラメント２４０の部分、又はフィラメント２２０、２４０の両方部分が第１層１００に結合されていないという特徴を有している。図４を参照すると、フィラメント交叉部分２６０Ａ、２６０Ｂの中間に延びるフィラメント２２０の部分は、第１層１００に結合されていないフィラメント２２０の部分は、参照番号２２０Ｕで示されている。フィラメント２２０と第１層１００との間の間隙は、第１層１００及びフィラメント２２０の中間にある中空空間１８０を形成する。同様に、フィラメント交叉部分２６０の中間に延びるフィラメント２２０の部分は、第３層３００に結合されておらず、第３層３００及びフィラメント２２０に中間にある中空空間３８０を形成する。
【００５７】
図７及び図８も、清掃シート２０のこの特徴を示している。図７において、長い隆起部１２０、３２０は、第１層１００及び第３層３００の両方の外面上にそれぞれ見られる。図８において、フィラメント２２０は、２つのフィラメント交叉部分２６０間に延びて見られる。２つのフィラメント交叉部分２６０間に延びているフィラメントの部分は、第１層から離れており、そして第１層に結合されていない。
【００５８】
隆起部１２０は、図３及び図５において平面図で示されている。隆起部１２０の少なくとも１部は、第２層２００の少なくとも１つのフィラメントを横切って延びる。図４において、山１０５Ａに対応する隆起部１２０は、少なくとも１つのフィラメント２２０を横切って延びる。
【００５９】
隆起部が１つ以上のフィラメントを横切って延びるため、隆起部は、隣接フィラメント交叉部分２６０間の最大距離（層２００の収縮及び層１００と層３００のギャザー形成後の隣接フィラメント交叉部分間距離）よりも大きい長さを有することがある。特に、隆起部１２０の長さは、図１における開口２５０の最大寸法よりも大きい（即ち、矩形開口２５０を横切って延びる対角線の長さよりも大きい）ことがある。隆起部１２０の長さは、図３において文字Ｌで示されている。長さＬは、隆起部１２０の両端間の直線距離であり、隆起部１２０の両端は、隆起部１２０が谷１０７で終わる点である。
【００６０】
Ｌの値は、隆起部１２０の一部について、少なくとも約１．０センチメートル、更に特に少なくとも約１．５センチメートルであることが可能である。１つの実施において、隆起部１２０の少なくとも一部は、少なくとも約２．０センチメートルの長さＬを有する。長さＬは、隣接フィラメント交叉部分間の距離の少なくとも２倍であることがある。
【００６１】
例えば、隣接フィラメント交叉部分間の距離に対する隆起部１２０の長さを測定するために、清掃シート２０は濡らされて、ライトテーブル又はその他の適当な背面照明源上に載せられる。こうした背面照明は、清掃シートの湿潤と組み合わされて、第１層１００を通して第２層２００のフィラメント交叉部分を可視化することができ、フィラメント交叉部分間の距離に対する隆起部１２０の長さをスケールで測定することができる。
【００６２】
長い隆起部は、被清掃面からの物質の除去を改善する柔らかくて変形自在の拭き取り要素となる。それに反して、第２層２００のフィラメントが第１層１００及び第３層３００に連続的に結合されるならば、第１層１００及び第３層３００のあらゆる組織的特徴は、第２層２００中の開口２５０に関連したエリアに限定されるであろう。
【００６３】
長い隆起部の少なくとも一部は、他の隆起部の少なくとも一部とは異なる方向に延びる。図３を参照すると、隆起部１２０Ａ、１２０Ｂ及び１２０Ｃは、それぞれ異なった方向に延びている。従って、種々の方向にシートを用いるとき、シートは物質を収集するのに有効である。
【００６４】
図３及び図６は、隆起部１２０の少なくとも１部が種々の方向に延びる分岐を有することがあることも示している。図３において、隆起部１２０は、種々の方向に延びる３つの分岐１２３Ａ、１２３Ｂ及び１２３Ｃを持って示されている。同様に、図６は、１２３Ａ、１２３Ｂ及び１２３Ｃで示された少なくとも３つの分岐を有する隆起部１２０を示している。
【００６５】
第１層１００及び第３層３００は、フィラメント交叉部分２６０で第２層２００にしっかりと結合されている。図９は、フィラメント交叉部分２６０における第２層への第１層１００及び第３層３００の両方の繊維の結合を示している。
【００６６】
図４、図７及び図８を参照すると、第１層１００の山１０５は、清掃シート２０の平面において、第３層の山３０５から概してオフセットしている。例えば、図４において、第３層の山３０５Ａは、第１層の山１０５Ａの直ぐ下にはないが、代わりに、その山１０５Ａに組み合わされた谷１０７Ａと概して整列している。従って、第１層の山１０５は、第３層の谷３０７と大体整列し、第３層の山３０５は第１層の谷１０７に大体整列している。
【００６７】
本発明の多重層の清掃シートの製造方法は次のようである。第１の不織布層、フィラメントの網様配列からなる第２層及び第３の不織布層が準備される。第１層は、第２層と向かい合った状態で第２層の上表面に隣接して置かれる。第３層は、第２層と向かい合った状態で第２層の下表面に隣接して置かれる。
【００６８】
その後、第１層及び第３層は、第２層の分散して間隔をあけた部分に不連続的に結合されて、フィラメント交叉部分間に延びるフィラメントの部分が第１層及び第３層に結合されないままとなる。第２層は、第１層及び第３層に対して収縮されて、第１層のギャザー付き巨視的三次元の外向き面、及び第３層のギャザー付き巨視的三次元の外向き面を形成する。結合及び収縮のステップは同時に又は逐次に行うことが可能である。
【００６９】
第１層及び第３層への第２層の不連続的な結合のステップは、第１層及び第３層への第２層への相対的に連続の結合を避けるために比較的低い圧力で比較的短時間にわたり第１層、第２層及び第３層を加熱プレスするステップを含むことがある。
【００７０】
１つの実施において、３つの層は、カンザス州ピッツバーグのエイチアイエックス（HIX Corp.）が製造しているＢＡＳＩＸ Ｂ４００ハンドプレスを用いて接合することができる。３つの層は、約１６５．５℃（約３３０°Ｆ）の温度で約１３秒にわたりハンドプレスでプレスすることにより接合される。ハンドプレスは、クリアランス及び従ってプレスで発生される圧力を変えるための調節機能を有する。調節は、第１層１００及び第３層３００中に望みの組織を形成するために望み通りに変えることができる。
【００７１】
本発明は、清掃シート２０の使用が汚れ（例えば、ダスト、糸屑など）の除去及び／又は捕捉を含む清掃の利点をもたらすということを文字及び／又は絵によって消費者に知らせる情報と関連している、清掃シートを入れるための包装も含む。この情報は他の清掃用製造品に対して優れているという主張を含むことができる。非常に好ましい変形において、包装に、清掃シートの使用が空気中のダスト及び他の空中浮遊物質のレベルの低下をもたらすということを消費者に知らせる情報を保持させることができる。清掃シートの完全な利点を確実に理解してもらうために、布地、ペットなどを含む従来用いられなかった表面を被清掃面として清掃シートを使用することができることを消費者に知らせることが極めて重要である。従って、添加剤の使用が本明細書中で論じたように空気中の微粒子汚れなどの改善された除去、減少などの利点をもたらすという、文字及び／又は絵によって消費者に知らせる情報と関連している包装の使用は重要である。情報には、消費者に知らせるための、例えば、有用なメディアのすべてにおける広告、及び包装又はシート自体上の文章及びアイコンを含めることができる。
【００７２】
本明細書における好ましい不織構造体を含んでいない先行技術の製品は、より低い程度に利点をもたらすために用いることができ、又、これらの利点が過去に認められなかった範囲で、それらの利点が提供されるという情報に含めるべきである。そうしなければ、消費者は、従来の製品又は実施技術に対する改善された性能の十分な価値を知らないであろう。
【００７３】
もう一つの点で、本発明は、上述の清掃シートを含む清掃器具に関する。これに関連し、清掃器具は、ａ．ハンドル、及びｂ．第１面と第２面とを持ち、平均ピーク間距離が少なくとも約１．０ｍｍであり、表面形状指数が約０．０１乃至約５である取り外し自在の清掃シートを含む。
【００７４】
本発明の清掃器具及び清掃シートは、木材、ビニル、リノリウム、無ワックスフロア、セラミック、ＦＯＲＭＩＣＡ（登録商標）及び磁器などを含むすべての硬い表面基体に適合するように別個に設計される。清掃器具のハンドルは、人間工学的に実際的な清掃を行うための長い耐久性のいずれかの材料を含む。ハンドルの長さは、器具の最終使用者によって決定される。ハンドルは、好ましくは、清掃シートを取り外し自在に取り付けることができる支持ヘッドを一端に含む。使用しやすくするために、支持ヘッドは、公知の継手組立体を用いてハンドルに枢動可能に装着することができる。清掃シートが清掃処理中に装着されたままで留まるかぎり、支持ヘッドへの清掃シートの装着のために適するいかなる装着手段も利用することができる。適当な装着手段の例には、クランプ、フックとループ（例えば、ＶＥＬＣＲＯ（登録商標））などが挙げられる。好ましい実施において、支持ヘッドは、過酷な掃除中にヘッドに清掃シートを機械的に装着したままにするために清掃シートの表面を掴む手段を含む。しかし、掴み手段は、便利な取り外し及び使い捨てのために清掃シートを容易に解放するものである。なお、清掃器具に対する本発明の有用な清掃シートは、上述した通りである。
【００７５】
清掃シートの寸法の測定方法は以下のとおりである。
Ａ．平均高低差
平均高低差は、Ｚ−寸法測定器具（例えば、ボエックラー  （    Boeckeler Instruments）が販売しているＭｉｃｒｏｃｏｄｅII）を装備した光学顕微鏡（例えば、ドイツ国のツァィス社のツァィス・アクシオプラン）を用いて測定される。この手順には、シートの山又は谷領域を配置し、顕微鏡の焦点を合わせ、Ｚ−寸法測定器具をゼロの目盛りに合わせることが含まれる。その後、顕微鏡を隣接谷又は山領域にそれぞれ移動させ、顕微鏡の焦点を当て直す。計器のディスプレイは、この山／谷対又は谷／山対間の高低差を示す。シート上のランダム位置で、この測定を少なくとも１０回繰り返す。平均高低差は、これらの測定の平均である。
【００７６】
Ｂ．ピーク間距離
ピーク間距離を測定するために、単純な光学顕微鏡を用いることができる。使用倍率は、２つの隣接ピーク間の距離を容易に測定するために十分であるべきである。シート上のランダムな位置で、この測定を少なくとも１０回繰り返す。平均ピーク間距離は、これらの測定の平均である。
【００７７】
Ｃ．５００ｇにおけるＣＤ伸び
ＣＤ伸びは、試験サンプルが５００ｇの荷重下で示す百分率伸びの指標である。ＣＤ伸びは、１００ Ｎのロードセルを備えるSintech Renew Instron ７３１０（Testwork ソフトウエアパッケージを含む）を用いて測定することができる。この計測器を用いて、荷重対％歪みカーブを作成する。試験パラメータは次の通りである。
サンプルの幅＝３０ｍｍ
ゲージ長さ＝１００ｍｍ
クロスヘッド速度＝３００ｍｍ／分
作成されたカーブから、ソフトウエアは、５００ｇの荷重における％歪み（％伸び）を得る。５００ｇにおけるＣＤ伸びとして、これを報告する。
【実施例】
【００７８】
実施例１
この実施例は、本発明の清掃シートを製造するための梳綿ウェブとスクリム（即ち、ポリプロピレンフィラメントの網）の組合せを示している。間にスクリムを備える２つの梳綿ポリエステル繊維ウェブを準備する。２つの梳綿ウェブ及びスクリムの組合せを、その後、穴付き形成ベルト（Ｎ５０フラットスクェア）の上に置き、水流交絡プロセスに供し、乾燥させる。水流交絡プロセスは、繊維を引き離して、２つの異なる坪量領域を形成させながら、繊維同士を絡み合わせ、スクリムとも絡み合わせる。乾燥プロセス中に、水圧による絡み合いシートは、ポリエステル繊維に対するポリプロピレンスクリムの収縮の結果として「キルトにされる」（即ち、より大きな三次元性が達成される）。好ましいオプションのステップとして、鉱油とパラフィン蝋との５重量％１：１混合物で不織布シートを（例えば、印刷やスプレーなどにより）表面被覆する。絡み合い不織布シートは、１８０℃で１０秒にわたりプレスによる後続の加熱に供されて、大きな三次元性が与えられる。この清掃シートは表Ｉ中に実施例１として示される。（この加熱は、表面処理を加える前、又は後に行うことができるが、好ましくは、添加剤の塗布前に実施する。）この付加的な加熱は、更に高められた三次元性をもたらす。
【００７９】
実施例２
本発明による清掃シートは、第１層１００、第２層２００及び第３層３００を有する。第１層１００及び第３層３００はそれぞれ平方メートル当たり約３０グラムの坪量を有するポリエステル繊維の水流交絡により形成されたウェブを含む。第２層は、ポリプロピレン／ＥＶＡ樹脂と両面接着剤と第２層の収縮の前にインチ当たり３フィラメント×インチ当たり２フィラメントのフィラメントカウントを有する上述のＴＨＥＲＭＡＮＥＴ（登録商標）ブランド強化網を含む。ＢＡＳＩＸ Ｂ４００ハンドプレスで第１層１００と第３層３００との間に、第２層２００を配置する。約１６５．５℃（約３３０°Ｆ）の設定温度で約１３秒にわたりハンドプレスでプレスすることにより、３つの層を接合する。
【００８０】
比較例Ａ
比較例Ａは、均一な坪量を有し、一般に平面である不織シートを示している。このシートは、日本国、東京の花王株式会社からクイックル（登録商標）として市販されている。
以下の表１から、本発明の実施例１および２が比較例Ａに比して高められた三次元特性を有することが明らかである。
【表１】
2004337621.tif 000003
【図面の簡単な説明】
【００８１】
【図１】本発明の清掃シートの３層の実施例を図式的に示す平面図であり、この図において、第２層はシートの側縁と端縁に対し平行に走るフィラメントを有するスクリム材料を含み、第１層の一部は切り取られて示され、第１層の表面特徴は明瞭化のために省略されている。
【図２】第２層のフィラメントが、清掃シートの側縁及び端縁に対して約４５度の角度で傾斜されている本発明の代替実施例を示し、図１と同種の図である。
【図３】第１層の巨視的三次元の外向き面の組織及び特に第１層の外向き面の広範な隆起部を示し、図５の写真を図式的に示した平面図である。
【図４】第２層のフィラメントの１つに平行なシートの断面図であり、フィラメントの交差部分の中間に延びる、第１層に結合されていないフィラメントの部分、及びフィラメント交差部分の中間に延びる、第３層に結合されていないフィラメントの部分を示している。
【図５】第１層の巨視的三次元の外向き面の組織、及び特に表面の長い隆起部を示す写真である。図５における目盛りはインチである。
【図６】異なる方向に延びた分枝を有する長い隆起部を示している、図５に示したタイプの拡大写真である。
【図７】第１層の巨視的三次元の外向き面の透視図を示す走査型電子顕微鏡写真である。
【図８】フィラメント交差部分の中間に延びる、第１層に結合されていないフィラメントの部分を示す、清掃シートの断面の走査型電子顕微鏡写真である。
【図９】フィラメント交差部分における第２層への第１層及び第３層の結合を示す走査型電子顕微鏡写真である。
【符号の説明】
【００８２】
２０  清掃シート、２２  側縁、  ２４  端縁、１００  第１層、１０５，１０５Ａ，１０５Ｂ  山、１０７，１０７Ａ，１０７Ｂ  谷、１２０，１２０Ａ，１２０Ｂ、１２０Ｃ  隆起部、１２３Ａ，１２３Ｂ，１２３Ｃ  隆起部、１８０  中間空間、２００  第２層、２２０  第１の複数のフィラメント、２４０  第２の複数のフィラメント、２６０  フィラメントの交叉部分、３００  第３層、３０５，３０５Ａ，３０５Ｂ  山、３０７，３０７Ａ，３０７Ｂ  谷、３２０  隆起部、３８０  中間空間、Ｈ  山と谷の高低差、Ｄピーク間距離、Ｌ  隆起部の長さ。
【図１】
2004337621.tif 000004
【図２】
2004337621.tif 000005
【図３】
2004337621.tif 000006
【図４】
2004337621.tif 000007
【図５】
2004337621.tif 000008
【図６】
2004337621.tif 000009
【図７】
2004337621.tif 000010
【図８】
2004337621.tif 000011
【図９】
2004337621.tif 000012